(57)【特許請求の範囲】
【請求項１】
大型貨物車両（１）の貨物室（３）の後端に、床壁（１３）、側壁（１４）、天井壁（１５）から構成される小型室（１２）を、前記貨物室（３）の後端部床（８）と前記床壁（１３）とをヒンジ（７）を介して、及び前記小型室（１２）上端部と前記貨物室（３）上端部とを伸縮自在な連結材（１０）で、夫々連結し、小型室（１２）に後方から進入する二輪車を含む小型車両（１１）を、下降揺動変位姿勢の前記小型室（１２）の床壁（１３）に乗載可能としたことを特徴とする貨物車両の構造。
【発明の詳細な説明】
【０００１】
【産業上の利用分野】
この発明は、大型貨物車両の構造に関するものである。
【０００２】
【従来の技術】
従来より、トラックのような大型貨物車両に重量の嵩む大型の荷物を積み降ろしするには、フォークリフトを使用したり、貨物台の後端に一体設置された昇降動リフト等を使用していた。
【０００３】
しかしながらこの種のリフトでは、例えば自転車やオートバイのような二輪車であれば積み降ろしできるであろうけれども、小型であっても四輪車については困難である。
【０００４】
そこでこの四輪車を貨物台に積み降ろしをするには、貨物台から地表にかけて一対のガイドレールを架け、このレール上を小型車両等が自走等により走行できるようにしていた。
【０００５】
【発明が解決しようとする課題】
処で本出願人は、先に発明「貨物の集配システム」特願２００１−１６１０を提案した。この発明は、貨物の中・近距離配送を、確実、簡単且つ迅速に、しかもコストを可能な限り抑制して達成できるようにしたもので、その構成は、大区域内を分割して形成される多数の小区域を順次巡回して通過走行する大型貨物車両と、特定の小区域内に夫々配されて巡回し、貨物を集配する小型貨物車両とにあって、特定の小区域内で集められた貨物をその区域の小型貨物車両から巡回してきた大型貨物車両に積み換えると共に、その特定の小区域内宛ての貨物を大型貨物車両から小型貨物車両に積み換えることを特徴とする。
【０００６】
このシステムでは、大型貨物車両と小型貨物車両との間に於ける貨物の積換えは、端末を介して相互に交信を行って相互位置を確認して所定箇所で接触し、停車して行うものであり、集配の迅速性の観点からも、或いは交通障害にならないようにするためにも、所要時間をできるだけ短くする必要がある。
【０００７】
そこで、所定箇所で接触した大型貨物車両と小型貨物車両にあって、大型貨物車両内に小型貨物車両を直接乗載させてしまい、大型貨物車両内で貨物の積み降ろし、積換えを行うことができるようにすることが考えられる。
【０００８】
この大型貨物車両内に小型貨物車両を乗載する場合、上記したようなリフトやガイドレールを用いたのでは、迅速性に大きく欠け、非能率的である。
【０００９】
よって本発明は、上述した従来技術の不満点を解決し、要請に応えるべく開発されたもので、大型貨物車両内での小型貨物車両の積み降ろし作業を確実、簡単且つ迅速に達成できるようにすることを目的とする。
【００１０】
【課題を解決するための手段】
上述した従来の課題を解決する本発明は、大型貨物車両の貨物室の後端に、床壁、側壁、天井壁から構成される小型室を、前記貨物室の後端部床と前記床壁とをヒンジを介して、及び前記小型室上端部と前記貨物室上端部とを伸縮自在な連結材で、夫々連結し、小型室に後方から進入する二輪車を含む小型車両を、下降揺動変位姿勢の前記小型室の床壁に乗載可能としたことを特徴とする構成である。
【００１２】
【発明の実施の形態】
図面にあって、大型トレーラートラックである大型貨物車両１は、運転室２後方に箱型の貨物室３を連結した構造であって、この貨物室３には多数の貨物が夫々配送区域ごとに秩序だって格納されており、その後端壁４はシャッター構造になっていて、開閉自在である。
【００１３】
貨物室３の後車輪５よりも後方の床板本体６後端には、例えばヒンジ７を介して後端部床８が揺動昇降変位自在に連結されており、その後端下面に球状の補助輪９が装着され、後端部床８の下降揺動変位姿勢ではこの補助輪９が接地し、転動可能になっている。
【００１４】
後端部床８の揺動昇降変位手段は多々考えられ、図１の実施例では、貨物室３後側端の天井と後端部床８後側端との間に、或いは貨物室３後端の側板と後端部床８後側端との間に、油圧制御で上下に伸縮して動作する連結材１０を配している。
【００１５】
そこで、後端壁４を開いて後端部床８を下降揺動変位させ、補助輪９を接地させた状態で、貨物室３の後方より二輪車を含む小型車両１１を進入させ、傾斜姿勢になった後端部床８に小型車両１１を乗り上げさせて乗載させる。
【００１６】
この乗り上げ形態は種々考えられる処であり、後端部床８から更に床板本体６にまで小型車両１１を完全に進入させて後端部床８を上昇揺動させ、貨物室３内の貨物と小型車両１１の貨物との積換えを行うのが、最も安定している。
【００１７】
しかしながら、床板本体６に小型車両１１が進入するだけのスペースがない場合には、小型車両１１を傾斜姿勢になった後端部床８上に固定配置することになろう。この場合、小型車両１１の少なくとも前輪は、後端部床８上に設けた車止め（図示省略）に係止固定させ、且つブレーキをかけた状態で、貨物の積換えを行うことになる。
【００１８】
ここでの貨物の積換え作業は、貨物室３内で直接行うことができるので迅速な処理が期待できる。またこの作業は、大型貨物車両１を停車させて行うのが安全上望ましいが、この安全が確保される限り、走行しながら行うことができれば、大型貨物車両１の移動時間が確保されるので、更に作業の迅速性が向上する。
【００１９】
この大型貨物車両１の走行時の作業を可能にするため、後端部床８の後端に補助輪９を設け、後端部床８が傾斜姿勢でも円滑に走行できるようにした。但し、小型車両１１が後端部床８に乗載したまま走行するとなると、小型車両１１の重量負荷が大きく後端部床８にかかってしまう虞れもある。
【００２０】
そこで例えば、前述したように、小型車両１１の前輪を後端部床８上に設けた車止めに係止させると共に、後輪は後端部床８に乗載させることなく、接地させて空転できるようにすると良いであろう。
【００２１】
また、前述したように補助輪９を球状にすれば、転動方向に規制がなく、例えば道路に沿ったカーブで左右に曲がっても、大型貨物車両１の走行に充分対応できる。
【００２２】
貨物の積換え作業が終了したならば、後端部床８を下降揺動させ、小型車両１１を自走により大型貨物車両１から抜け出させることになる。但し、前述したように、小型車両１１の前輪のみを後端部床８上に係止させ、その後輪を接地させて空転できるようにした場合には、前輪の係止を解けば、大型貨物車両１の前進発進に伴い、小型車両１１は取り残される形態で前後両輪とも接地することになる。即ちここでは、小型車両１１を後退自走させなくても、車道に降ろし戻すことができるのである。何れの場合であっても、後続車に充分の配慮をしなければならないことは、勿論である。
【００２３】
或いは、図２、図３に示すように、大型貨物車両１の貨物室３の後端に、揺動昇降変位自在な小型室１２を連結しても良い。この小型室１２は、床壁１３、側壁１４、天井壁１５から構成され、貨物室３の後端部床８と床壁１３とをヒンジ７を介して、及び小型室１２上側端部と貨物室３後上側端部とを油圧制御される伸縮自在な連結材１０で、夫々連結するものである。尚、小型室１２の床壁１３後端下面には、前述と同様の球状の補助輪９が装着されている。また、貨物室３と小型室１２との間に蛇腹幌を設けると良いであろう（図示省略）。
【００２４】
従って、ここでの連結材１０を伸ばせば、小型室１２は後端が下降する傾斜姿勢となり、連結材１０を縮めれば貨物室３の後端部床８と床壁１３とを同一水平レベルにすることができる。この構成では、連結材１０の伸縮ストロークが小さくて済むので、それだけ動作が確実である。また、連結材１０は天井部分に配されているので、シャッター構造の後端壁４を開いて小型車両１１なり貨物を出し入れする際にも邪魔にならず、充分の間口を確保することができる。
【００２５】
尚、図１の実施例では、貨物室３後端の側板と後端部床８後側端との間に、収縮姿勢の連結材１０とは別に、後端部床８の上昇姿勢を維持するべく相互に係止するジョイントフック（図示省略）を、また図２の実施例では、小型室１２上側端部と貨物室３後上側端部との間に、同様のジョイントフック（図示省略）を配しており、不用意に後端部床８が揺動しないようにするための安全対策を施している。更に図１、図２の各実施例にあって、連結材１０は油圧シリンダ構造のものに限らず、前記機能が果たせる限り、例えばチェーンの如きものであっても良い。
【００２６】
【発明の効果】
本発明にかかる貨物車両の構造は上述した構成となっているので、大型貨物車両内での小型貨物車両の積み降ろし作業を確実、簡単にしかも迅速に達成でき、従って中・近距離の貨物の配送を、確実、簡単且つ迅速に、しかもコストを可能な限り抑制して達成できる等、多くの優れた作用効果を奏する。
【図面の簡単な説明】
【図１】本発明の実施例を示す断面説明図である。
【図２】本発明の他の実施例を示す断面説明図である。
【図３】図３の後方斜視図である。
【符号の説明】
１；大型貨物車両、２；運転室、３；貨物室、４；後端壁、５；後車輪、６；床板本体、７；ヒンジ、８；後端部床、９；補助輪、１０；連結材、１１；小型車両、１２；小型室、１３；床壁、１４；側壁、１５；天井壁。
【図１】
0003627926.tif 000002
【図２】
0003627926.tif 000003
【図３】
0003627926.tif 000004